(57)【特許請求の範囲】
【請求項１】
内部に内部空間を有し、該内部空間内に紙葉状の媒体を収納する基体と、
前記内部空間において、前記媒体を集積すべき集積方向と交差する所定の規定方向に関し、前記媒体を収納すべき収納空間を規定して前記媒体を案内するガイド体と、
前記基体に対し、規定方向に関する前記ガイド体の取付位置を複数通りに切り替えて取り付ける取付部材と、
前記基体に取り付けられ、集積方向及び規定方向とそれぞれ交差する交差方向への前記ガイド体の移動を規制する規制体と
を具え、
前記取付部材は、前記基体と係合する基体係合部と、前記ガイド体と係合するガイド体係合部とをそれぞれ複数有し、前記基体係合部及び前記ガイド体係合部が互いに反対側に配置され、且つ前記基体係合部及びその反対側に配置された前記ガイド体係合部の間隔である取付間隔が互いに相違し、何れかの前記基体係合部及びその反対側に配置された前記ガイド体係合部を、前記基体及び前記ガイド体に対しそれぞれ解除可能に係合させる
ことを特徴とする媒体収納装置。
【請求項２】
前記規制体は、前記集積方向に沿った集積軸を中心とする前記ガイド体の回転を規制する
ことを特徴とする請求項１に記載の媒体収納装置。
【請求項３】
前記基体は、
前記内部空間を内部に有すると共に該内部空間を外部と連通させる連通孔を有する本体部と、
前記連通孔を開放させ、又は閉塞させる開閉体と
を具え、
前記ガイド体は、前記取付部材により前記本体部又は前記開閉体に取り付けられている
ことを特徴とする請求項１に記載の媒体収納装置。
【請求項４】
前記ガイド体は、前記取付部材により前記本体部及び前記開閉体の何れか一方に取り付けられ、
前記規制体は、前記取付部材により前記本体部及び前記開閉体の他方に取り付けられ、前記開閉体が前記連通孔を閉塞させた場合には前記ガイド体を規制し、前記開閉体が前記連通孔を開放させた場合には前記ガイド体に対する規制を解除する
ことを特徴とする請求項３に記載の媒体収納装置。
【請求項５】
前記ガイド体は、前記規制体により規制された範囲内で移動することにより、前記取付部材により規定方向に関する取付位置が切り替えられ、且つ前記本体部に対し前記開閉体が開閉される
ことを特徴とする請求項４に記載の媒体収納装置。
【請求項６】
前記基体は、前記基体係合部と係合する基体被係合部を有し、
前記取付部材は、前記基体に対し、前記規定方向及び前記集積方向に沿って移動することにより前記基体係合部を前記基体被係合部と係合させ、又はその係合を解除させる
ことを特徴とする請求項１に記載の媒体収納装置。
【請求項７】
前記ガイド体は、前記ガイド体係合部と係合するガイド体被係合部を有し、
前記取付部材は、前記ガイド体に対し、前記規定方向及び前記集積方向に沿って移動することにより前記ガイド体係合部を前記ガイド体被係合部と係合させ、又はその係合を解除させる
ことを特徴とする請求項１に記載の媒体収納装置。
【請求項８】
利用者との間で取引される媒体を搬送する搬送部と、前記搬送部により搬送される前記媒体を収納する媒体収納装置とを有する媒体取引装置であって、
前記媒体収納装置は、
内部に内部空間を有し、該内部空間内に前記媒体を収納する基体と、
前記内部空間において、前記媒体を集積すべき集積方向と交差する所定の規定方向に関し、前記媒体を収納すべき収納空間を規定して前記媒体を案内するガイド体と、
前記基体に対し、規定方向に関する前記ガイド体の取付位置を複数通りに切り替えて取り付ける取付部材と、
前記基体に取り付けられ、集積方向及び規定方向とそれぞれ交差する交差方向への前記ガイド体の移動を規制する規制体と
を具え、
前記取付部材は、前記基体と係合する基体係合部と、前記ガイド体と係合するガイド体係合部とをそれぞれ複数有し、前記基体係合部及び前記ガイド体係合部が互いに反対側に配置され、且つ前記基体係合部及びその反対側に配置された前記ガイド体係合部の間隔である取付間隔が互いに相違し、何れかの前記基体係合部及びその反対側に配置された前記ガイド体係合部を、前記基体及び前記ガイド体に対しそれぞれ解除可能に係合させる
ことを特徴とする媒体取引装置。
【請求項９】
内部に内部空間を有し、該内部空間内に紙葉状の媒体を収納する基体と、
前記内部空間において、前記媒体を集積すべき集積方向と交差する所定の規定方向に関し、前記媒体を収納すべき収納空間を規定して前記媒体を案内するガイド体と、
前記基体に対し、規定方向に関する前記ガイド体の取付位置を複数通りに切り替えて取り付ける取付部材と、
前記基体に取り付けられ、集積方向及び規定方向とそれぞれ交差する交差方向への前記ガイド体の移動を規制する規制体と
を具え、
前記ガイド体は、前記取付部材が取り付けられる被固定部を複数有すると共に、規定方向に関する当該被固定部の位置が互いに相違し、
前記取付部材は、前記基体と係合する基体係合部と、前記ガイド体と係合するガイド体係合部とを有し、前記基体係合部及び前記ガイド体係合部が互いに反対側に配置され、当該ガイド体係合部を前記ガイド体における何れかの前記被固定部に対し解除可能に係合させると共に、前記基体係合部を前記基体に対し解除可能に係合させる
ことを特徴とする媒体収納装置。
【発明の詳細な説明】
【技術分野】
【０００１】
本発明は媒体収納装置及び媒体取引装置に関し、例えば顧客の操作に応じて媒体としての紙幣を出金する取引を行う現金自動預払機や紙幣出金機に適用して好適なものである。
【背景技術】
【０００２】
従来、金融機関等で使用される現金自動預払機（ＡＴＭ：Automatic Teller Machine）や紙幣出金機（ＣＤ：Cash Dispenser）においては、金融機関の顧客等である利用者からの要求に応じて、紙幣や硬貨等の現金を出金するものが広く普及している。紙幣出金機としては、例えば紙幣を収納する紙幣収納庫と、当該紙幣収納庫から繰り出された紙幣を搬送する搬送部と、搬送されてきた紙幣を集積して利用者に紙幣を引き渡す出金口とを有するものが提案されている。
【０００３】
このうち紙幣収納庫は、例えば内部に紙幣を収納する収納空間や、この収納空間から外部へ紙幣を繰り出す繰出機構等を有するものがある。この紙幣収納庫は、収納空間において、紙幣の紙面を互いに重ねるようにして整然と集積させている。
【０００４】
また紙幣収納庫では、集積空間の大きさ、具体的には前後方向及び左右方向の長さを、紙幣における短辺及び長辺の長さよりも僅かずつ長くすることにより、紙幣の周囲に適切な距離の隙間を形成でき、当該収納空間内に紙幣を整然と集積することが可能となる。しかしながら、一般に紙幣は、発行される国や地域ごとに、さらには金種ごとに、大きさが異なっている。
【０００５】
そこで紙幣収納庫のなかには、紙幣収納庫内に紙幣の集積範囲を規定して該紙幣を案内するガイド体を取り付けるようにし、このガイド体の取付位置を変化させることにより、収納空間の大きさを変化させて、様々な大きさの紙幣に対応し得るものも提案されている（例えば、特許文献１参照）。
【先行技術文献】
【特許文献】
【０００６】
【特許文献１】特開２０１４−９８９９７号公報（第３３図、第３４図）
【発明の概要】
【発明が解決しようとする課題】
【０００７】
ところで上述した紙幣収納庫は、紙幣の補充や回収の作業効率を高める等の目的により、紙幣出金機から取り外されて運搬され、また装填されるようになっている。このため紙幣収納庫は、運搬中や着脱の作業時に、比較的大きな外力が加えられる可能性がある。そこで紙幣収納庫では、例えば紙幣収納庫の筐体等に対し、カラと呼ばれる部品を介して取付ねじによってガイド体を取り付けることにより、外力が加えられた場合にも取付位置を維持し得るようになっていた。
【０００８】
しかしながら、このような紙幣収納庫では、筐体やガイド体が十分な強度を有する一方で、その構造上、取付ねじを取り付ける部分において相対的に強度が小さくなってしまう。また紙幣収納庫では、収納される紙幣が例えば数千枚のように多数となった場合、その重量が極めて大きくなる。
【０００９】
このため紙幣収納庫では、多数の紙幣を収納した状態で外力が加えられた場合、紙幣の慣性モーメントがガイド体に作用すること等により、筐体やガイド体に取付ねじを取り付ける部分に対し、過大な力が加えられ、破損に繋がる場合がある、という問題があった。
【００１０】
本発明は以上の点を考慮してなされたもので、媒体を収納する空間の大きさを調整でき、且つ調整された状態を良好に維持し得る媒体収納装置及び媒体取引装置を提案しようとするものである。
【課題を解決するための手段】
【００１１】
かかる課題を解決するため本発明の媒体収納装置においては、内部に内部空間を有し、該内部空間内に紙葉状の媒体を収納する基体と、内部空間において、媒体を集積すべき集積方向と交差する所定の規定方向に関し、媒体を収納すべき収納空間を規定して媒体を案内するガイド体と、基体に対し、規定方向に関するガイド体の取付位置を複数通りに切り替えて取り付ける取付部材と、基体に取り付けられ、集積方向及び規定方向とそれぞれ交差する交差方向へのガイド体の移動を規制する規制体とを設け、取付部材には、基体と係合する基体係合部と、ガイド体と係合するガイド体係合部とをそれぞれ複数設け、基体係合部及びガイド体係合部が互いに反対側に配置され、且つ基体係合部及びその反対側に配置されたガイド体係合部の間隔である取付間隔が互いに相違し、何れかの基体係合部及びその反対側に配置されたガイド体係合部を、基体及びガイド体に対しそれぞれ解除可能に係合させるようにした。
【００１２】
また本発明の媒体取引装置においては、利用者との間で取引される媒体を搬送する搬送部と、搬送部により搬送される媒体を収納する媒体収納装置とを有する媒体取引装置であって、媒体収納装置は、内部に内部空間を有し、該内部空間内に媒体を収納する基体と、内部空間において、媒体を集積すべき集積方向と交差する所定の規定方向に関し、媒体を収納すべき収納空間を規定して媒体を案内するガイド体と、基体に対し、規定方向に関するガイド体の取付位置を複数通りに切り替えて取り付ける取付部材と、基体に取り付けられ、集積方向及び規定方向とそれぞれ交差する交差方向へのガイド体の移動を規制する規制体とを設け、取付部材には、基体と係合する基体係合部と、ガイド体と係合するガイド体係合部とをそれぞれ複数設け、基体係合部及びガイド体係合部が互いに反対側に配置され、且つ基体係合部及びその反対側に配置されたガイド体係合部の間隔である取付間隔が互いに相違し、何れかの基体係合部及びその反対側に配置されたガイド体係合部を、基体及びガイド体に対しそれぞれ解除可能に係合させるようにした。
さらに本発明の媒体収納装置においては、内部に内部空間を有し、該内部空間内に紙葉状の媒体を収納する基体と、内部空間において、媒体を集積すべき集積方向と交差する所定の規定方向に関し、媒体を収納すべき収納空間を規定して媒体を案内するガイド体と、基体に対し、規定方向に関するガイド体の取付位置を複数通りに切り替えて取り付ける取付部材と、基体に取り付けられ、集積方向及び規定方向とそれぞれ交差する交差方向へのガイド体の移動を規制する規制体とを設け、ガイド体は、取付部材が取り付けられる被固定部を複数有すると共に、規定方向に関する当該被固定部の位置が互いに相違し、取付部材は、基体と係合する基体係合部と、ガイド体と係合するガイド体係合部とを有し、基体係合部及びガイド体係合部が互いに反対側に配置され、当該ガイド体係合部をガイド体における何れかの被固定部に対し解除可能に係合させると共に、基体係合部を基体に対し解除可能に係合させるようにした。
【００１３】
本発明は、基体及びガイド体にそれぞれ係合させる取付部材の基体係合部及びガイド体係合部を切り替え、又は取付部材のガイド体係合部に係合させるガイド体の被固定部を切り替えることにより、基体及びガイド体の規定方向に関する間隔を切り替え、媒体を収納する空間の大きさを調整できる。そのうえで本発明は、基体に取付部材を介して取り付けられているガイド体に対し、交差方向へ向かう力が作用したとしても、この力を規制体により受け止めることができるので、取付部材に過大な力が加えられ破損に繋がることを未然に防止できる。また本発明は、基体及びガイド体の間に取付部材を挟んだ状態となるため、内部空間に収納している媒体からガイド体に対して規定方向に力が加えられたとしても、取付部材を介して基体がこの力を受け止め、ガイド体の撓みやねじれ等の発生を抑制できる。これにより本発明では、規定方向に関して内部空間の大きさが不用意に変化し、媒体を整然と集積できなくなることを未然に防止できる。
【発明の効果】
【００１４】
本発明によれば、媒体を収納する空間の大きさを調整でき、且つ調整された状態を良好に維持し得る媒体収納装置及び媒体取引装置を実現できる。
【図面の簡単な説明】
【００１５】
【図１】紙幣出金機の全体構成を示す略線図である。
【図２】紙幣カセットの外観構成を示す略線的斜視図である。
【図３】紙幣カセットの構成を示す略線的平面図である。
【図４】紙幣カセットの構成を示す略線的断面図である。
【図５】扉体の構成を示す略線的斜視図である。
【図６】取付基部及びフロントガイド固定部の構成を示す略線的斜視図である。
【図７】扉体に対するフロントガイドの取付を示す略線図である。
【図８】取付部材の構成を示す略線的斜視図である。
【図９】扉体に対するフロントガイドの取付位置を示す略線図である。
【図１０】固定孔及び爪部の構成を示す略線図である。
【図１１】扉体に対するフロントガイドの取付を示す略線図である。
【図１２】他の実施の形態による扉体に対するフロントガイドの取付を示す略線図である。
【図１３】他の実施の形態による扉体に対するフロントガイドの取付を示す略線図である。
【発明を実施するための形態】
【００１６】
以下、発明を実施するための形態（以下実施の形態とする）について、図面を用いて説明する。
【００１７】
［１．紙幣出金機の構成］
図１に模式的な側面図を示すように、媒体取引装置としての紙幣出金機１は、例えば金融機関や各種商業施設等に設置され、利用者（すなわち金融機関や商業施設の顧客等）の操作に応じて紙幣を出金するようになっている。この紙幣出金機１は、大きく分けて下側の収納ユニット２及び上側の束搬送ユニット３により構成されており、さらに全体を制御する制御部４が組み込まれている。
【００１８】
制御部４は、図示しないＣＰＵ（Central Processing Unit）を中心に構成されており、図示しないＲＯＭ（Read Only Memory）やフラッシュメモリ等から所定のプログラムを読み出して実行することにより、出金処理等の処理を行う。また制御部４は、内部にＲＡＭ（Random Access Memory）、ハードディスクドライブやフラッシュメモリ等でなる記憶部を有しており、この記憶部に種々の情報を記憶させる。
【００１９】
以下では、紙幣出金機１のうち顧客が対峙する側を前側とし、その反対を後側とし、当該前側に対峙した顧客から見て左及び右をそれぞれ左側及び右側とし、さらに上側及び下側を定義して説明する。
【００２０】
［１−１．収納ユニットの構成］
収納ユニット２は、直方体状の収納筐体１０内に、紙幣に関する種々の処理を行う複数の部分が組み込まれている。この収納筐体１０内には、４個の紙幣カセット１１、搬送部１３、鑑別部１４、切替部１５及び集積部１６、及びリジェクト収納庫１７が設けられている。
【００２１】
各紙幣カセット１１は、前後方向に長い直方体状に構成されており、それぞれ予め定められた金種の紙幣を内部に収納する。また紙幣カセット１１は、その後側に、紙幣を１枚ずつ繰り出して搬送部１３に引き渡す繰出口を有している。
【００２２】
搬送部１３は、図示しないローラやベルト、或いはこれらを駆動するモータ等により、紙幣を搬送する経路である搬送路を構成している。鑑別部１４は、内部に厚みセンサやイメージセンサといった複数種類のセンサが組み込まれており、各センサから得られた情報を基に、搬送される紙幣の金種や走行状態等を鑑別し、その鑑別結果を制御部４へ供給する。制御部４は、得られた鑑別結果を基に、各紙幣の搬送先を決定する。
【００２３】
切替部１５は、制御部４の制御に基づき、紙幣に当接して進行方向を変化させるブレード（図中三角形で示す）の傾斜角度を変更することにより、紙幣の搬送経路を切り替える。集積部１６は、切替部１５から搬送されてきた紙幣を集積空間１６Ｓ内へ放出し、ステージ１６Ｔ上に束状に集積させていく。このため以下では、このように積み重ねられた紙幣を紙幣束Ｗとも呼ぶ。
【００２４】
また収納筐体１０における最も上側の後側には、リジェクト収納庫１７が配置されている。リジェクト収納庫１７は、切替部１５から搬送されてくるリジェクト紙幣（制御部４により出金すべきでないと判断された紙幣）や、上方に位置する束搬送ユニット３から上面の取込孔１７Ｈを介して落下してくる紙幣束Ｗを取り込んで収納する。
【００２５】
［１−２．束搬送ユニットの構成］
束搬送ユニット３は、全体として、上下方向に短く前後方向に長い、扁平な直方体状に形成されており、その前後方向の長さが収納ユニット２よりも長くなっている。束搬送ユニット３は、直方体状の束搬送筐体２０内に組み込まれた種々の部材により、紙幣束Ｗを搬送するときに当該紙幣束Ｗが通過する経路である束搬送路３Ｙを形成している。また束搬送筐体２０の前端、すなわち束搬送路３Ｙの前端には、紙幣束Ｗを利用者に引き渡す出金口２６が形成されている。
【００２６】
束搬送筐体２０内における上側部分には、無端ベルトでなる上搬送ベルト２１が設けられている。束搬送筐体２０内における上搬送ベルト２１の下側部分には、上下方向に薄い板状の挟持搬送ガイド２２及び無端ベルトでなる下搬送ベルト２４が設けられている。挟持搬送ガイド２２は、図示しない移動機構によって前後方向へ移動することにより、集積孔１６Ｈ又は取込孔１７Ｈの何れか一方を開放して束搬送路３Ｙと連通させる。
【００２７】
集積部１６のステージ１６Ｔは、挟持搬送ガイド２２が前方へ移動された状態において上方へ移動されることにより、その上面の高さを挟持搬送ガイド２２とほぼ同等に揃え、束搬送路３Ｙの一部を形成する。ラッセル部２５は、挟持搬送ガイド２２、下搬送ベルト２４及びステージ１６Ｔの上面に沿って、紙幣束Ｗを押すことにより前後方向へ移動させる。
【００２８】
［１−３．出金動作及び取込動作］
次に、紙幣出金機１における出金動作及び取込動作について説明する。紙幣出金機１は、出金動作を行う場合、図示しない操作部を介して顧客から出金の指示及び出金額を受け付ける。これに応じて各紙幣カセット１１は、この出金額に応じた金種及び枚数の紙幣を後面から１枚ずつ繰り出し、搬送部１３に引き渡す。搬送部１３は、各紙幣を上方へ搬送し、鑑別部１４により鑑別させ、得られた鑑別結果を制御部４に供給させる。
【００２９】
制御部４において鑑別結果を基に正常と判断された紙幣は、切替部１５により集積部１６へ搬送され、ステージ１６Ｔ上に集積される。また制御部４において出金すべきでないと判断されたリジェクト紙幣は、切替部１５によりリジェクト収納庫１７へ搬送され、収納される。
【００３０】
続いて紙幣出金機１は、出金額に相当する金種及び枚数の紙幣、すなわち紙幣束Ｗをステージ１６Ｔ上に集積すると、当該ステージ１６Ｔを上昇させ、当該紙幣束Ｗを束搬送路３Ｙ内へ持ち上げる。続いて紙幣出金機１は、上搬送ベルト２１及び下搬送ベルト２４を前方へ走行させると共にラッセル部２５を前方へ移動させることにより、紙幣束Ｗを束搬送路３Ｙに沿って前方へ進行させ、出金口２６まで搬送する。紙幣出金機１は、この段階で出金動作を終了し、利用者に紙幣束Ｗを受け取らせる。
【００３１】
ここで、所定の待機時間以内に出金口２６から紙幣束Ｗが取り出されなかった場合、紙幣出金機１は、利用者が紙幣束Ｗを取り忘れたと判断し、取込動作を開始する。具体的に紙幣出金機１は、上搬送ベルト２１及び下搬送ベルト２４を後方へ走行させることにより紙幣束Ｗを束搬送路３Ｙ内に取り込み、さらにラッセル部２５を後方へ走行させることにより、当該紙幣束Ｗを当該束搬送路３Ｙに沿って後方へ進行させていく。やがて紙幣出金機１は、紙幣束Ｗが取込孔１７Ｈの上方に到達すると、この紙幣束Ｗを束搬送路３Ｙから落下させ、リジェクト収納庫１７内に収納させる。
【００３２】
［２．紙幣カセットの基本構成］
ところで紙幣カセット１１は、収納筐体１０に形成された４箇所の装填スロットに対し、それぞれ着脱可能に構成されている。すなわち紙幣カセット１１は、収納筐体１０に装填された状態（図１）から前方へ引き抜かれることにより、図２（Ａ）に示すように、該収納筐体１０から離脱される。これにより紙幣カセット１１は、保守作業者等により単体で運搬される。また紙幣カセット１１は、空の装填スロットの前方に位置された状態から後方へ押し込まれることにより、図１に示したように、該収納筐体１０に装着される。
【００３３】
因みに紙幣カセット１１の前面には、収納可能な取手（図示せず）が設けられている。このため紙幣カセット１１は、保守作業者等により収納筐体１０から引き出される場合に、この取手に対し前方へ向かう力が加えられる。また紙幣カセット１１は、保守作業者等により持ち運ばれる場合、この取手が把持されることにより、前面を上方へ向けると共に後面を下方へ向けた、いわば縦長の姿勢となる。
【００３４】
この紙幣カセット１１は、前側、後側、左側、右側及び下側の各側面を形成する本体部としての筐体３１と、上側の側面を形成する開閉体としての扉体３２とにより構成されている。また紙幣カセット１１の後上端部分には、扉体３２の後端部分及び筐体３１の後側上端部分により、蝶番部３３が形成されている。紙幣カセット１１は、この蝶番部３３を回動中心として扉体３２が回動されることにより、図２（Ａ）に示したように筐体３１の上側を閉塞する閉塞状態と、図２（Ｂ）に示すように筐体３１の上側を開放した開放状態とに遷移することができる。
【００３５】
また紙幣カセット１１は、閉塞状態（図２（Ａ））において、その内部に紙幣を収納するための内部空間１１Ｓを形成している。因みに内部空間１１Ｓにおける左右方向及び上下方向の長さは、収納される最も大きい紙幣における長辺及び短辺よりも、それぞれ十分に長くなっている。
【００３６】
筐体３１は、図３に平面図を示すように、その内部に、比較的大きな空間でなる筐体内部空間３１Ｓを形成している。この筐体内部空間３１Ｓは、紙幣カセット１１の内部空間１１Ｓのうち、筐体３１側の部分である。これを換言すれば、筐体３１は、その上面側に筐体内部空間３１Ｓと外部とを連通させる大きな連通孔が形成されており、閉塞状態においてこの連通孔が扉体３２により閉塞されている。
【００３７】
筐体内部空間３１Ｓ内には、図３及びそのＡ１−Ａ２断面図である図４（Ａ）に示すように、ピックアップガイド４１、ゲートガイド４２、センターガイド４３、２個のバックガイド４４、２個のサイドガイド４５及びステージ４６が設けられている。因みに図４（Ａ）は、説明の都合上、紙幣カセット１１が閉塞状態である場合、すなわち筐体３１の上側が扉体３２により閉塞された状態の断面図を表している。
【００３８】
ピックアップガイド４１は、前後方向に薄い板状に形成されており、筐体内部空間３１Ｓにおける後端部分に設けられている。このピックアップガイド４１は、図３におけるＢ１−Ｂ２断面図を図４（Ｂ）に示すように、その上面から上方に向けて、４本の後規制体４７が立設されている。この後規制体４７は、比較的小さな直方体状に形成されている。因みにピックアップガイド４１の前面における下寄りの箇所は、紙幣を１枚ずつに分離して繰り出すためのピックアップローラ等（図示せず）が組み込まれている。
【００３９】
ゲートガイド４２は、筐体内部空間３１Ｓにおけるピックアップガイド４１の前側下寄りに設けられており、その上面が平坦に形成されている。因みにゲートガイド４２には、紙幣を１枚ずつに分離して繰り出すためのゲートローラ等（図示せず）が組み込まれている。
【００４０】
センターガイド４３は、前後方向に沿った細長い角柱状に形成されており、筐体内部空間３１Ｓ内の下端における左右方向のほぼ中央であって、ゲートガイド４２の前方に設けられている。センターガイド４３の上面は、ゲートガイド４２の上面と同等に揃えられている。バックガイド４４は、前後方向に長く上下方向に薄い板状に形成されており、センターガイド４３の左右両側に、それぞれの上面を該センターガイド４３の上面と揃えるように配置されている。
【００４１】
サイドガイド４５は、前後方向に沿った細長い角柱状に形成されており、バックガイド４４の上側にそれぞれ設けられている。このサイドガイド４５は、少なくとも左右の内側面、すなわち筐体内部空間３１Ｓの中心側を向いた側面が平坦に形成されている。またサイドガイド４５は、図示しないサイドガイド取付部材により筐体３１に取り付けられており、さらに左右方向の位置をそれぞれ調整し得るようになっている。
【００４２】
ステージ４６は、前後方向に薄い板状に形成されており、ゲートガイド４２、センターガイド４３及びバックガイド４４の上側に設けられている。またステージ４６は、その大部分が左右のサイドガイド４５の内側に位置しており、左右の外方へ向けて延設された一部分のみを該サイドガイド４５よりも外側まで到達させている。
【００４３】
因みに、筐体内部空間３１Ｓにおけるサイドガイド４５の両外側には、このステージ４６を傾斜させること無く前後方向へ移動させるための移動機構（図示せず）が設けられている。またステージ４６は、図示しないスプリングにより後方向へ付勢されている。さらにステージ４６には、前後方向に関する位置を保持するための保持機構（図示せず）も設けられている。
【００４４】
一方、扉体３２は、図５に示すように、上面部５１に形成された４箇所の取付基部５２に対し、４個の取付部材５３を介して２個のフロントガイド５４が取り付けられている（詳しくは後述する）。因みに図５では、図２（Ａ）に示したように、扉体３２が閉塞状態である時の姿勢を基準に前方向及び後方向を表している。以降の図についても同様である。すなわち扉体３２は、図２（Ｂ）に示した開放状態において、前後方向が反転することになる。
【００４５】
ガイド体としてのフロントガイド５４（図５）は、少なくとも下面が概ね平坦状に形成されている。このフロントガイド５４は、取付部材５３の姿勢や取付位置を変化させることにより、上下方向に関する位置、すなわち扉体３２の下面から該フロントガイド５４の下面までの距離を調整し得るようになっている（詳しくは後述する）。
【００４６】
このような構成により、紙幣カセット１１は、内部空間１１Ｓ内に、上下方向、左右方向及び前後方向に関し、紙幣を収納する範囲をそれぞれ規制した収納空間１１ＳＣを形成している（図３、図４）。この収納空間１１ＳＣは、前側がステージ４６の後面により、後側がピックアップガイド４１の前面により、左右の両側がサイドガイド４５の各内側面により、下側がセンターガイド４３等の上面により、上側がフロントガイド５４の下面により、それぞれ規制されている。これを換言すれば、フロントガイド５４等の各部材は、紙幣を収納空間１１ＳＣ内に収納するように案内している。
【００４７】
因みに紙幣カセット１１では、収納空間１１ＳＣに収納する紙幣の大きさ、具体的には長辺及び短辺それぞれの長さに応じて、保守作業者等により、各サイドガイド４５及びフロントガイド５４の取付位置がそれぞれ調整される。これにより紙幣カセット１１は、収納空間１１ＳＣにおける左右方向及び上下方向の長さが、この紙幣に合わせて最適化される。
【００４８】
この収納空間１１ＳＣには、紙面を前後方向に向けると共に長辺を上下方向に向けた紙幣が前後方向に沿って順次重ねられ、整然と集積された状態で収納される。説明の都合上、以下では、前後方向を集積方向とも呼び、また前後方向に沿った軸を集積軸とも呼ぶ。収納空間１１ＳＣに収納された紙幣は、スプリング（図示せず）の付勢力が作用するステージ４６により後方へ付勢され、ピックアップガイド４１に押し付けられる。
【００４９】
紙幣出金機１（図１）において出金動作が行われる場合、紙幣カセット１１は、収納筐体１０側から供給される駆動力により、ピックアップローラやゲートローラ等（何れも図示せず）を適宜回転させる。これにより紙幣カセット１１は、収納空間１１ＳＣ内の最も後側に集積されている紙幣を他の紙幣から分離しながら後方へ進行させ、後面の引渡口３４（図２（Ａ））から後方へ繰り出して搬送部１３に引き渡すことができる。
【００５０】
［３．扉体の詳細構成］
次に、扉体３２の詳細な構成に関し、扉体３２の取付基部５２、フロントガイド５４及び取付部材５３について、それぞれ説明する。
【００５１】
［３−１．扉体の構成］
基体としての扉体３２（図５）には、上述したように、上面部５１に４個の取付基部５２が設けられている。４個の取付基部５２は、下方から見て２行２列の格子状に配置されている。
【００５２】
取付基部５２は、図６（Ａ）に拡大斜視図を示すように、上面部５１よりも下方へ隆起している。この取付基部５２には、７個の固定孔５２Ｈ（５２Ｈ０、５２Ｈ１、５２Ｈ２、５２Ｈ３、５２Ｈ４、５２Ｈ５及び５２Ｈ６）が穿設されている。各固定孔５２Ｈは、上面部５１の上面側まで貫通している。各固定孔５２Ｈは、概ね角孔状であり、下方向から見て長方形状であるものの、前辺における中央の約１／３の範囲が前方へ切り欠かれてなる切欠部分と連接されている。
【００５３】
また以下では、取付基部５２のうち、各固定孔５２Ｈ及びその周辺部分を、被固定部５２Ｓ（５２Ｓ０、５２Ｓ１、５２Ｓ２、５２Ｓ３、５２Ｓ４、５２Ｓ５及び５２Ｓ６）と呼ぶ。このうち被固定部５２Ｓ０〜５２Ｓ５は、左右方向に２列、前後方向に３列となるよう格子状に配置されており、その後側におけるほぼ中央に被固定部５２Ｓ６が配置されている。また基体被係合部としての各被固定部５２Ｓは、何れも取付基部５２の後面に設けられているため、前後方向に関する互いの位置が同等となっている。
【００５４】
さらに扉体３２（図５）には、上面部５１の下面における前端近傍であって、２行２列の取付基部５２における前側となる２箇所に、係合レール部５５がそれぞれ設けられている。係合レール部５５は、上面部５１の下面から下方へ向けて垂設された複数の薄板状部材を組み合わることにより、上下方向に沿ったレールのような形状となっている。
【００５５】
係合レール部５５は、図７（Ａ）に下面図を示すように、前側に位置し左右方向に沿って形成された前部６１を中心に構成されており、この前部６１の左右両端から後方へ向けて延設部６２がそれぞれ延設され、さらに延設部６２の後端から左右の内方へ向けて後端部６３がそれぞれ延設されている。
【００５６】
また前部６１における左右方向のほぼ中央には、後方へ向けて前規制体６４が延設されている。規制体としての前規制体６４は、左右方向に薄い板状に形成されている。すなわち係合レール部５５は、下方から見て、英大文字の「Ｅ」に類似した形状となっている。
【００５７】
［３−２．フロントガイドの構成］
図５に示したように、収納空間規定体としてのフロントガイド５４は、全体として前後方向に長く、左右方向に比較的短く、上下方向に短い直方体状、すなわち細長い板状に形成されている。またフロントガイド５４は、所定の樹脂材料により成型部品として構成されている。因みにフロントガイド５４は、扉体３２と比較して、前後方向に関して僅かに短く、左右方向に関して長さが約１／４〜１／８程度となっている。
【００５８】
図７（Ｂ）に下面図を示すように、フロントガイド５４は、大きく分けて、前端近傍を除いた本体部７１と、前端の中央に位置する前端中央部７２と、該前端中央部７２の左右に設けられた腕部７４とにより構成されている。本体部７１は、前後方向に長く左右方向に短く上下方向に薄い直方体状ないし薄板状に形成されている。
【００５９】
前端中央部７２は、左右方向の長さ（すなわち幅）が、その後半部分において本体部７１よりもやや短く（狭く）、その前半部分において後半部分よりもさらに短く（狭く）なっている。この前端中央部７２の前端近傍には、前端から後方へ向けて切り込まれ、且つ上下方向に貫通する規制溝７３が設けられている。
【００６０】
前端中央部７２の左右両側には、腕部７４が設けられている。腕部７４は、前後方向に細長く左右方向に比較的薄い板状部材でなり、前後方向の中央付近において左右方向の内側へクランク状に屈曲されている。このため腕部７４は、本体部７１との接続部分がフロントガイド５４における左右両端近傍に位置しているのに対し、前側の先端となる部分がこれよりも左右方向の内側にそれぞれ位置している。
【００６１】
さらに腕部７４は、樹脂材料により形成されていることに加えて、前端中央部７２との間に隙間を形成しており、左右方向の内側へ向けて外力が加えられると、前側部分を左右方向の内側へ向けて一時的に弾性変形する。また腕部７４は、この外力が解放されると、復元力の作用により、元の形状へ戻ろうとして前側部分を左右方向の外側へ変位させる。
【００６２】
腕部７４の前端には、左右の外方へ向けて爪状部７５が立設されている。爪状部７５は、前端から後方へ進むに連れて左右の外方へ広がるような傾斜面を前側に形成する一方、その反対の後側に、ほぼ真後ろを向いた平面を形成している。爪状部７５は、腕部７４における前側部分を中心とした変形に伴い、左右方向に変位することができる。
【００６３】
またフロントガイド５４（図５）は、本体部７１における前寄り及び後寄りの箇所に、上下方向に貫通する複数の孔部を有するフロントガイド固定部７６がそれぞれ設けられている。フロントガイド固定部７６は、図６（Ｂ）に拡大した斜視図を示すように、７個の被固定部７６Ｓ（７６Ｓ０、７６Ｓ１、７６Ｓ２、７６Ｓ３、７６Ｓ４、７６Ｓ５及び７６Ｓ６）が設けられている。ガイド体被係合部としての各被固定部７６Ｓは、扉体３２の取付基部５２（図５、図６（Ａ）及び図７（Ａ））における各被固定部５２Ｓと鏡像をなすように配置されている。
【００６４】
すなわち、被固定部７６Ｓ０、７６Ｓ１、７６Ｓ２、７６Ｓ３、７６Ｓ４及び７６Ｓ５は、左右方向に２列、前後方向に３列となるよう格子状に配置されており、その後側におけるほぼ中央に被固定部７６Ｓ６が配置されている。換言すれば、被固定部７６Ｓ０、７６Ｓ１、７６Ｓ２、７６Ｓ３、７６Ｓ４、７６Ｓ５及び７６Ｓ６は、取付基部５２の被固定部５２Ｓ０、５２Ｓ１、５２Ｓ２、５２Ｓ３、５２Ｓ４、５２Ｓ５及び５２Ｓ６とそれぞれ対応する位置に配置されている。
【００６５】
一方、各被固定部７６Ｓは、被固定部５２Ｓの場合とは異なり、上下方向に関して互いの上面の位置が異なっており、フロントガイド５４の上面に複数段の段差を形成している。具体的に被固定部７６Ｓ０、７６Ｓ１、７６Ｓ２、７６Ｓ３、７６Ｓ４、７６Ｓ５及び７６Ｓ６は、この順に１［ｍｍ］ずつ上方へせり出していくよう、それぞれの上下方向の位置が定められている。
【００６６】
因みに各被固定部７６Ｓにおけるフロントガイド５４の厚さ（すなわち上下方向の長さ）は、何れも同等となっている。換言すれば、フロントガイド５４における下面にも、複数段の段差が形成されている。
【００６７】
各被固定部７６Ｓには、上下方向に貫通する角孔でなる固定孔７６Ｈ（７６Ｈ０、７６Ｈ１、７６Ｈ２、７６Ｈ３、７６Ｈ４、７６Ｈ５及び７６Ｈ６）がそれぞれ穿設されている。ガイド体被係合部としての各固定孔７６Ｈは、上下方向及び左右方向に関して、扉体３２の取付基部５２（図７（Ａ））における各固定孔５２Ｈと鏡像をなすように配置されている。
【００６８】
各固定孔７６Ｈは、概ね角孔状であり、上方向から見て長方形状であるものの、後辺における中央の約１／３の範囲が後方へ切り欠かれてなる切欠部分と連接されている。すなわち各固定孔７６Ｈにおける切欠部分の位置は、各固定孔５２Ｈにおける切欠部分に対して前後方向に反対となっている。
【００６９】
［３−３．取付部材の構成］
取付部材５３は、図８に拡大図を示すように、直方体状の本体部８１と、各側面に１個ずつ設けられた合計６個の爪部とにより構成されている。
【００７０】
本体部８１は、側面８２Ａ及びこれと反対側の側面８３Ａ、側面８２Ｂ及びこれと反対側の側面８３Ｂ、並びに側面８２Ｃ及びこれと反対側の側面８３Ｃにより構成されている。この本体部８１では、側面８２Ａ及び側面８３Ａの間隔である取付間隔ＬＡ、側面８２Ｂ及び側面８３Ｂの間隔である取付間隔ＬＢ、並びに側面８２Ｃ及び側面８３Ｃの間隔である取付間隔ＬＣの間に、ＬＡ＜ＬＢ＜ＬＣという大小関係が成立している。詳細には、ＬＢ＝ＬＡ＋７［ｍｍ］であり、且つＬＣ＝ＬＢ＋７［ｍｍ］となっている。
【００７１】
これを換言すれば、取付部材５３の本体部８１は、側面８２Ａ、８２Ｂ及び８２Ｃから、それぞれ互いに異なる方向へ、例えば前後方向、左右方向及び上下方向へ、互いに異なる距離（すなわち取付間隔）ずつ離隔した位置に、側面８３Ａ、８３Ｂ及び８３Ｃがそれぞれ配置されている。
【００７２】
取付部材５３の側面８２Ｃを上側に向けた姿勢において、側面８２Ａにおける上端近傍には、爪部８６Ａが設けられている。基体係合部としての爪部８６Ａは、側面８２Ａから法線方向に延びた後、下方へ向けて屈曲されることにより下方が開放された爪状の突起として形成されており、さらに幅方向の中央付近において、側面８２Ａと先端部分とを繋ぐ補強リブが設けられている。すなわち爪部８６Ａは、左右の側方から見て、英文字の「Ｌ」を適宜回転若しくは反転させたような形状に補強リブが組み合わされた形状となっている。側面８２Ｂ及び８２Ｃには、爪部８６Ａと同様の爪部８６Ｂ及び８６Ｃがそれぞれ設けられている。
【００７３】
同様に側面８２Ｃを上側に向けた姿勢において、側面８３Ａにおける上端近傍には、爪部８７Ａが設けられている。ガイド体係合部としての爪部８７Ａは、爪部８６Ａとほぼ上下対称であり、上側が開放された爪状の突起として形成されて、さらに補強リブが設けられている。側面８３Ｂ及び８３Ｃには、爪部８７Ａと同様の爪部８７Ｂ及び８７Ｃがそれぞれ設けられている。
【００７４】
このように取付部材５３は、爪部８６Ａ、８６Ｂ及び８６Ｃが設けられた側面８２Ａ、８２Ｂ及び８２Ｃと、爪部８７Ａ、８７Ｂ及び８７Ｃが設けられた側面８３Ａ、８３Ｂ及び８３Ｃとを、互いに反対側に配置し、且つ各側面同士の間隔である取付間隔ＬＡ、ＬＢ及びＬＣを互いに相違させている。
【００７５】
［３−４．扉体に対するフロントガイドの取付］
次に、扉体３２に対する取付部材５３を介したフロントガイド５４の取付について、図９（Ａ）を参照しながら説明する。なお、図９（Ａ）では、説明の都合上、各部を模式的に表すと共に一部を省略しており、さらにフロントガイド５４の各被固定部７６Ｓを、前後方向に沿って一列に並べている。
【００７６】
紙幣カセット１１では、まず扉体３２の後側から、取付部材５３の姿勢が適宜調整されると共に、取付基部５２における何れかの固定孔５２Ｈが選択されて取付部材５３の爪部８６が挿通される。さらに取付部材５３は、被固定部５２Ｓに側面８２が当接した状態で前方へ僅かに移動（スライド）される。これにより取付部材５３は、爪部８６が固定孔５２Ｈの周辺部分、すなわち被固定部５２Ｓに引っ掛けられ、扉体３２に固定される。
【００７７】
このとき扉体３２は、取付部材５３の側面８２が取付基部５２の被固定部５２Ｓに対し、比較的広い面積により当接するため、当該取付部材５３から上方向へ向けて比較的強い力が加えられたとしても、これを十分に受け止めることができる。また扉体３２は、上方へ向けて伸びた爪部８６が固定孔５２Ｈに挿入され被固定部５２Ｓに係合することにより、前後方向及び左右方向のうち、後方向を除いた３方向に関して、取付部材５３の移動を規制することができる。
【００７８】
ここで、図１０（Ａ）及び（Ｂ）を参照しながら、固定孔５２Ｈ及び爪部８６における左右方向の長さについて説明する。因みに図１０（Ｂ）は、図１０（Ａ）におけるＣ１−Ｃ２断面図を表している。また図１０（Ａ）は、図１０（Ｂ）におけるＤ１−Ｄ２断面図を表している。
【００７９】
固定孔５２Ｈ及び切欠部分５２ＨＣにおける左右方向の長さを、それぞれ長さＬ１１及びＬ１２とする。また、爪部８６及び補強リブ８６Ｒにおける左右方向の長さを、それぞれ長さＬ１３及びＬ１４とする。
【００８０】
紙幣カセット１１では、基本的に、固定孔５２Ｈの長さＬ１１が爪部８６の長さＬ１３よりも大きく、また切欠部分５２ＨＣの長さＬ１２が補強リブ８６Ｒの長さＬ１４よりも長くなっている。このため固定孔５２Ｈは、爪部８６を挿通させることができ、また切欠部分５２ＨＣに補強リブ８６Ｒを入り込ませることができる。
【００８１】
さらに固定孔５２Ｈ及び爪部８６は、長さＬ１１と長さＬ１３との差分の半分、すなわち両者の間に生じる隙間の長さＬ１５が比較的短い一方、切欠部分５２ＨＣの長さＬ１２と補強リブ８６Ｒの長さＬ１４との差分の半分、すなわち両者の間に生じる隙間の長さＬ１６が比較的長くなっている。
【００８２】
このため紙幣カセット１１では、取付部材５３の爪部８６が扉体３２の固定孔５２Ｈに嵌め込まれた状態で、取付部材５３に対し左右方向に力が加えられた場合、該取付部材５３が左右方向へ変位しようとする。このとき紙幣カセット１１では、固定孔５２Ｈ及び爪部８６の隙間である長さＬ１５が比較的狭いために、固定孔５２Ｈの内側面に対し爪部８６の側面が先に当接してその力を受け止め、補強リブ８６Ｒが切欠部分５２ＨＣの内側面から離れた状態を維持する。
【００８３】
次に紙幣カセット１１では、取付部材５３の下側にフロントガイド５４が近づけられることにより、爪部８７がフロントガイド固定部７６における何れかの固定孔５２Ｈに挿通されると共に、被固定部７６Ｓに取付部材５３の側面８３が当接する。続いて紙幣カセット１１では、フロントガイド５４が前方へ僅かに移動（スライド）されることにより、取付部材５３の爪部８７が固定孔５２Ｈの周辺部分、すなわち被固定部７６Ｓに係合し、フロントガイド５４を固定する。
【００８４】
因みに取付部材５３は、フロントガイド固定部７６において、取付基部５２側で固定された被固定部５２Ｓと対応する被固定部７６Ｓに固定される。例えば取付部材５３は、取付基部５２において被固定部５２Ｓ０に固定された場合、フロントガイド固定部７６において被固定部７６Ｓ０に固定される。
【００８５】
このときフロントガイド５４は、腕部７４の弾性変形を利用することにより、図７（Ｃ）に示すように、爪状部７５を扉体３２の係合レール部５５における後端部６３に係合させる。これによりフロントガイド５４は、後方向への移動が規制されるため、後方向への外力が加えられた場合であっても、取付部材５３の爪部８７が被固定部７６Ｓから外れること、若しくは取付部材５３の爪部８６が扉体３２の被固定部５２Ｓから外れることを防止し、取付部材５３を介して扉体３２に取り付けられた状態を維持できる。
【００８６】
因みに紙幣カセット１１は、このときフロントガイド５４の先端部分を係合レール部５５の前部６１と近接又は当接させているため（図７（Ｃ））、該フロントガイド５４に対し前方向へ向かう力が加えられたとしても、これを受け止めることができ、取付部材５３の爪部８６及び８７に過大な力が加えられることを防止できる。
【００８７】
ここで取付部材５３（図５）は、上述したように、互いに反対側に位置する側面同士、すなわち側面８２及び８３の間隔が、取付間隔ＬＡ、ＬＢ又はＬＣの３通りに相違している。すなわち紙幣カセット１１では、取付部材５３の姿勢に応じて、扉体３２の被固定部５２Ｓとフロントガイド５４の被固定部７６Ｓとの間隔（以下これを選択取付間隔ＬＳと呼ぶ）を、取付間隔ＬＡ、ＬＢ又はＬＣの３段階に調整することができる。この選択取付間隔ＬＳは、上述したように、７［ｍｍ］ごとに３段階に変化することになる。
【００８８】
また紙幣カセット１１では、図６（Ｂ）及び図９（Ａ）に示したように、フロントガイド５４側の各被固定部７６Ｓ（７６Ｓ０〜７６Ｓ６）が７段の段差を形成しているため、取付部材５３を取り付ける被固定部７６Ｓに応じて、フロントガイド５４の上下方向の位置を７段階に調整することができる。
【００８９】
説明の都合上、以下では、最も下側に位置する被固定部７６Ｓ０を基準として、実際に取付部材５３が取り付けられた被固定部７６Ｓ（７６Ｓ０〜７６Ｓ６）までの上下方向の間隔を、段差間隔ＬＴと定義する。これにより被固定部７６Ｓ０、７６Ｓ１、７６Ｓ２、…、７６Ｓ６におけるそれぞれの段差間隔ＬＴは、０、１、２、…、６［ｍｍ］となる。
【００９０】
そうすると、紙幣カセット１１では、取付部材５３を介して扉体３２に取り付けられたフロントガイド５４の上下方向に関する位置（以下これを取付位置と呼ぶ）を、選択取付間隔ＬＳと段差間隔ＬＴとの加算値により表すことができる。ここで、取付部材５３の姿勢に応じた選択取付間隔ＬＳと、選択された被固定部７６Ｓとにより定まる取付位置の値を整理すると、図９（Ｂ）に示す取付位置調整表Ｔ１のように表すことができる。
【００９１】
すなわち紙幣カセット１１では、選択取付間隔ＬＳを３通りに調整でき、段差間隔ＬＴを７通りに調整できるので、両者の組み合わせが、３及び７を乗じた２１通りとなる。また紙幣カセット１１では、選択取付間隔ＬＳを７［ｍｍ］ごとに設定し、段差間隔ＬＴを１［ｍｍ］ごとに設定したため、両者の組み合わせにより１［ｍｍ］ごとに２０［ｍｍ］の調整幅で、フロントガイド５４の取付位置を上下方向に２１段階に調整すること、すなわち複数通りに切り替えることができる。
【００９２】
これを換言すれば、紙幣カセット１１では、収納空間１１ＳＣの上側を規定するフロントガイド５４の取付位置を上下方向に変更することにより、該収納空間１１ＳＣにおける上下方向の大きさを変更することができる。説明の都合上、以下では、上下方向を規定方向とも呼ぶ。
【００９３】
また紙幣カセット１１は、扉体３２に対するフロントガイド５４の上下方向に関する取付位置を変更する場合、該扉体３２に対しフロントガイド５４を後方向へ（図２（Ｂ）の開放状態であれば反対の前方向へ）移動させて取り外させる。具体的に紙幣カセット１１は、フロントガイド５４の前側において、保守作業者等により腕部７４を左右の外方から把持させる等してそれぞれ内側へ押し込ませ、係合レール部５５の後端部６３に対する爪状部７５の係合を解除させ、そのまま後方へスライドさせる。
【００９４】
これにより紙幣カセット１１は、フロントガイド５４の先端部分を係合レール部５５の後方まで移動させて再度係合し得ない状態にすると共に、爪部８７と被固定部７６Ｓとの係合も解除するため、該フロントガイド５４を下方へ（図２（Ｂ）の開放状態であれば上方へ）移動させることで、取り外させることができる。
【００９５】
ところで紙幣カセット１１では、扉体３２に対し取付部材５３を介してフロントガイド５４が取り付けられた場合、図７（Ｃ）に示したように、フロントガイド５４の前端部分に形成された規制溝７３に、係合レール部５５の前規制体６４が入り込む。ここで、規制溝７３における溝幅、すなわち左右方向の長さＬ７３（図７（Ｂ））は、前規制体６４の厚さ、すなわち左右方向の長さＬ６４（図７（Ａ））よりも僅かに長くなっている。このため係合レール部５５の前規制体６４は、規制溝７３と当接し、又は極めて近接することにより、フロントガイド５４の前側部分に対し、左右方向への移動を規制できる。
【００９６】
また紙幣カセット１１では、フロントガイド５４が取り付けられた扉体３２が閉塞状態（図２（Ａ））となった場合、図４（Ｂ）に加えて図１１に模式的な側面図を示すように、筐体３１側においてピックアップガイド４１の上面に立設された後規制体４７が、該フロントガイド５４の後端近傍であって、係合レール部５５と同程度の高さに位置する。
【００９７】
この各後規制体４７は、図７（Ｃ）に示したように、フロントガイド５４の本体部７１における後端付近の左右両側に１個ずつ位置するよう、その位置が適切に調整されている。また後規制体４７同士の間隔である長さＬ４７（図７（Ａ））は、フロントガイド５４の本体部７１における左右方向の長さＬ７１（図７（Ｂ））よりも僅かに広くなっている。
【００９８】
このためピックアップガイド４１の後規制体４７は、フロントガイド５４の後端近傍に当接若しくは極めて近接することにより、フロントガイド５４の後側部分に対し、左右方向への移動を規制できる。説明の都合上、以下では、集積方向である前後方向と規制方向である上下方向とそれぞれ交差する左右方向を、交差方向とも呼ぶ。
【００９９】
因みに後規制体４７は、図１１に示したように、収納空間１１ＳＣの後端を規定するピックアップガイド４１の上面に立設しているため、該収納空間１１ＳＣの後端よりも後側に位置することになる。また係合レール部５５の前規制体６４は、ステージ４６が最も前方へ位置した場合における後面よりも前側に位置しており、該収納空間１１ＳＣの前端よりも前側に位置することになる。すなわち紙幣カセット１１では、前後方向に関し、収納空間１１ＳＣの範囲外に、前規制体６４及び後規制体４７を配置している。
【０１００】
ところでフロントガイド５４は、上述したように、選択取付間隔ＬＳ及び段差間隔ＬＴをそれぞれ選択することにより、上下方向の取付位置を２１段階に調整できる（図９）。これに応じて係合レール部５５及び後規制体４７は、図４及び図１１に示したように、上下方向に関し、フロントガイド５４の移動範囲に対応し得るような十分な長さを有している。
【０１０１】
またフロントガイド５４は、上述したように、樹脂材料により成型部品として構成されており、上下方向にある程度の長さ（すなわち厚さ）を有することにより（図４及び図１１等）、十分な剛性を確保している。これに伴いフロントガイド５４は、規制溝７３（図７）の内側面や本体部７１の後端部近傍における左右の側面においても、上下方向に十分な長さを有している。
【０１０２】
すなわち紙幣カセット１１は、フロントガイド５４の前端近傍において、上下方向に十分な長さを有する前規制体６４及び規制溝７３を互いに当接又は極めて近接させ、且つその後端近傍において、上下方向に十分な長さを有する本体部７１における左右の側面及び後規制体４７を互いに当接又は極めて近接させることができる。これにより紙幣カセット１１は、扉体３２に対し、フロントガイド５４が前後方向に沿った軸である集積軸を中心として回転すること（すなわち捻れること）を規制できる。
【０１０３】
［４．効果等］
以上の構成において、紙幣出金機１の紙幣カセット１１は、扉体３２の取付基部５２に対し取付部材５３を介してフロントガイド５４を取り付け（図５）、該フロントガイド５４の下面により収納空間１１ＳＣの上側を規定するようにした（図４）。また紙幣カセット１１は、取付部材５３の姿勢と、使用する取付基部５２の固定孔５２Ｈ及びフロントガイド固定部７６の固定孔７６Ｈとがそれぞれ変更されることにより、選択取付間隔ＬＳ及び段差間隔ＬＴをそれぞれ変化させ、フロントガイド５４の上下方向に関する取付位置を変化させるようにした（図９）。
【０１０４】
この紙幣カセット１１は、紙幣出金機１の収納筐体１０から取り出されて運搬される場合、異物と衝突する等して、外部から衝撃が加えられる可能性がある。これにより紙幣カセット１１では、収納されている紙幣から慣性モーメントによる力が加えられる等して、フロントガイド５４に対し左右方向へ向かう力や、該フロントガイド５４を上下方向に沿った集積軸を中心として回転させる力（すなわち捻る力）が作用する可能性がある。
【０１０５】
このとき紙幣カセット１１では、扉体３２にフロントガイド５４を取り付けている取付部材５３の爪部８６及び８７（図８及び図９）に対し、左右方向へ向かう過大な力が加えられ、該爪部８６及び８７を破損させる恐れがあった。
【０１０６】
この点において、本実施の形態による紙幣カセット１１では、扉体３２側の係合レール部５５に設けた前規制体６４をフロントガイド５４の前端近傍に設けた規制溝７３に入り込ませた（図７）。これと共に紙幣カセット１１では、閉塞状態（図２（Ａ））においてフロントガイド５４の本体部７１における後端近傍を２個の後規制体４７により左右の両側から挟むように当接又は近接させた（図４及び図１１）。
【０１０７】
このため紙幣カセット１１は、フロントガイド５４の上端近傍及び下端近傍の双方において、該フロントガイド５４の左右方向への移動や、前後方向に沿った集積軸を中心とする回転（すなわち捻れ）を規制できる。これに伴い紙幣カセット１１は、取付部材５３の爪部８６及び８７に過大な力が加えられることを回避でき、該爪部８６及び８７の破損を未然に防止できる。
【０１０８】
因みに紙幣カセット１１は、フロントガイド５４の前端を係合レール部５５の前部６１に当接させており、且つ爪状部７５を該係合レール部５５の後端部６３に係合させている（図７）。このため紙幣カセット１１は、前後方向に関し、フロントガイド５４を扉体３２に対し十分な強度で支持しており、外力が加えられた場合にも該フロントガイド５４をこの前後方向へ移動させずに済む。
【０１０９】
また紙幣カセット１１は、フロントガイド５４の本体部７１における後端近傍を規制する２個の後規制体４７を、扉体３２側では無く、筐体３１側に設けた（図４、図１１）。このため紙幣カセット１１は、閉塞状態（図２（Ａ））であれば、後規制体４７をフロントガイド５４の本体部７１における後端近傍に当接又は近接させ、その左右方向への移動や回転（捻れ）を規制できる。
【０１１０】
その一方で紙幣カセット１１は、開放状態（図２（Ｂ））において、後規制体４７をフロントガイド５４から引き離し、該フロントガイド５４の後端近傍に十分な空間を形成できる。これにより紙幣カセット１１は、例えばフロントガイド５４における上下方向の取付位置を変更する目的で、保守作業者等により該フロントガイド５４を扉体３２から一度取り外させ、再び取り付けさせる場合等に、自由に移動させてその作業効率を格段に高めることができる。
【０１１１】
これに加えて紙幣カセット１１は、フロントガイド５４の後側において、本体部７１の左右両側に当接又は近接する位置に、後規制体４７をそれぞれ配置した。このため紙幣カセット１１は、後規制体４７を設けない場合と比較して、フロントガイド５４の形状を変更する必要が無い。
【０１１２】
一方、紙幣カセット１１は、フロントガイド５４の前側において、腕部７４の前端における左右両外側に爪状部７５を設け、該腕部７４の弾性変形を利用することにより、爪状部７５を係合レール部５５の後端部６３に係合させ、或いはその係合を解除させる。
【０１１３】
このため紙幣カセット１１は、仮に前端近傍において、後端側の後規制体４７と同様の規制体を左右の両外側に配置した場合、この規制体が腕部７４の直近に配置されることになる。この場合、紙幣カセット１１では、例えば保守作業者等がフロントガイド５４を取り外す場合に、腕部７４に対し左右の外方から把持するように力を加えて弾性変形させる作業や、この力を加えたままフロントガイド５４を後方へスライドさせる作業等において、その障害となり作業効率を大幅に低下させる恐れがあった。
【０１１４】
この点において紙幣カセット１１は、２本の腕部７４の間に位置する前端中央部７２の中央に規制溝７３を形成すると共に、係合レール部５５側において該規制溝７３と対応する箇所に前規制体６４を設けた（図７）。これにより紙幣カセット１１は、保守作業員等による腕部７４を把持する作業等を妨げること無く、フロントガイド５４の前側部分に対し左右方向への移動や回転を効果的に規制することができる。
【０１１５】
さらに紙幣カセット１１は、後方向に関し、収納空間１１ＳＣの範囲外に、前規制体６４及び後規制体４７を配置するようにした（図１１）。このため紙幣カセット１１は、例えばフロントガイド５４の取付位置が比較的上寄りとなり、収納空間１１ＳＣの上面が前規制体６４及び後規制体４７の下端よりも上側に到達した場合であっても、当該収納空間１１ＳＣ内に前規制体６４及び後規制体４７を入り込ませて紙幣の集積を妨げることが無い。
【０１１６】
そのうえ紙幣カセット１１は、筐体３１の後上側に設けた蝶番部３３によって、左右方向に沿った回動軸を回動中心として扉体３２を回動させることにより、開閉させるようにした。また紙幣カセット１１は、フロントガイド５４の後端近傍において、本体部７１における左右の外側面、すなわち蝶番部３３の回動軸と直交する平面と、後規制体４７における左右の内側面、すなわち同様に蝶番部３３の回動軸と直交する平面とを、互いに対向させるようにした。
【０１１７】
これにより紙幣カセット１１は、蝶番部３３により扉体３２を回動させる場合に、左右方向に関するフロントガイド５４と後規制体４７との間隔を変化させること無く、一定に保持できる。すなわち紙幣カセット１１は、閉塞状態において後規制体４７をフロントガイド５４における後端近傍に当接又は近接させることと、該規制体４７と該フロントガイド５４とを互いに干渉させること無く扉体３２を回動させることとを、両立させることができる。さらに紙幣カセット１１は、扉体３２に対するフロントガイド５４の取付位置を変化させた場合であっても、該フロントガイド５４を回動軸に沿った方向へは変位させないため、この両立を維持できる。
【０１１８】
これを換言すれば、紙幣カセット１１は、後規制体４７により左右方向から規制された範囲内でフロントガイド５４を回動又は移動させることにより、該後規制体４７と該フロントガイド５４とを互いに干渉させることなく、扉体３２の回動と該フロントガイド５４の取付位置の調整とを行わせることができる。
【０１１９】
また紙幣カセット１１は、左右方向に関する固定孔５２Ｈの長さＬ１１と爪部８６の長さＬ１３との差分、すなわち両者の間に生じる隙間の長さＬ１５を比較的短くし、且つ切欠部分５２ＨＣの長さＬ１２と補強リブ８６Ｒの長さＬ１４との差分、すなわち両者の間に生じる隙間の長さＬ１６を比較的長くした（図１０）。これにより紙幣カセット１１では、取付部材５３に対し左右方向へ向かう力が加えられたとしても、爪部８６を固定孔５２Ｈの内側面に当接させるため、補強リブ８６Ｒを切欠部分５２ＨＣの内側面に当接させて過大な力が加えられ、破損してしまうことを未然に防止できる。
【０１２０】
すなわち紙幣カセット１１では、取付部材５３（図８）の補強リブ８６Ｒに対し、左右方向からの直接の外力に耐え得るような大きな強度を持たせる必要が無く、爪部８６の先端部分に対し側面８２に離接する方向へ過大な力が加えられることによる破損を防止し得る程度の、比較的小さな強度を持たせれば良い。
【０１２１】
以上の構成によれば、紙幣出金機１の紙幣カセット１１は、扉体３２に対し取付部材５３によりフロントガイド５４の取付位置を上下方向へ調整し得るようにした。そのうえで紙幣カセット１１は、係合レール部５５の前規制体６４をフロントガイド５４の規制溝７３に入り込ませると共に、閉塞状態においてフロントガイド５４の後端近傍における左右の両側に後規制体４７を当接又は近接させた。これにより紙幣カセット１１は、閉塞状態において、フロントガイド５４の左右方向への移動や、前後方向に沿った軸を中心とする回転を規制できるので、取付部材５３の爪部８６及び８７に過大な力が加えられることによる破損を未然に防止できる。
【０１２２】
［５．他の実施の形態］
なお上述した実施の形態においては、扉体３２にフロントガイド５４が取り付けられた場合に、該フロントガイド５４の前端近傍において規制溝７３に前規制体６４を入り込ませ、後端近傍において２個の後規制体４７を本体部７１における左右の両側面に当接させる場合について述べた（図７）。しかしながら本発明はこれに限らず、前端近傍及び後端近傍において、種々の組合せにより、それぞれ左右方向の移動や回転を規制しても良い。例えば、図１２（Ａ）に示す扉体１３２のように、フロントガイド１５４の前端近傍において、フロントガイド５４の後側近傍と同様に、該フロントガイド１５４の左右両側に規制体１４７を当接又は近接させるようにしても良い。或いは、例えば図１２（Ｂ）に示す扉体２３２のように、フロントガイド２５４の後端近傍において、フロントガイド５４の前側近傍と同様に、規制溝２７３を設けて規制体２６４を入り込ませても良い。
【０１２３】
また上述した実施の形態においては、フロントガイド５４の前端近傍及び後端近傍の２箇所において、前規制体６４及び後規制体４７により該フロントガイド５４の左右方向への移動や回転を規制する場合について述べた（図７）。しかしながら本発明はこれに限らず、例えばフロントガイド５４の前端近傍及び後端近傍の何れか一方を省略しても良く、或いは３箇所以上に規制体を設けても良い。この場合、規制体は、フロントガイド５４の取付位置が比較的上寄りである場合にも、収納空間１１ＳＣの外側に位置することにより紙幣の集積を阻害しなければ良い。
【０１２４】
さらに上述した実施の形態においては、扉体３２に対し、前後方向に沿った細長いフロントガイド５４を左右方向に２個並べるように取り付ける場合について述べた（図５）。しかしながら本発明はこれに限らず、例えば図１３（Ａ）に示す扉体３３２のように、フロントガイド５４を左右方向に２個並べて上端近傍及び下端近傍においてそれぞれ連結させたような形状でなるフロントガイド３５４を１個のみ取り付けても良い。この場合、例えばフロントガイド３５４の後端近傍における左右の両側に２個の後規制体４７をそれぞれ配置すると共に、前端近傍の左右両側に２個の前規制体３４７をそれぞれ配置すれば良い。
【０１２５】
或いは、図１３（Ｂ）に示す扉体４３２のように、フロントガイド４５４における前端近傍に２箇所の規制溝７３を設けて２個の前規制体６４をその内部にそれぞれ入り込ませると共に、後端近傍に２箇所の規制溝４７３を設けて２個の後規制体４６４をそれぞれの内部に入り込ませても良い。さらには、図１３（Ｃ）に示す扉体５３２のように、フロントガイド５５４における中央の隙間部分に前規制体５４７及び後規制体５６４を入り込ませることにより、左右方向への移動や集積軸回りの回転を規制しても良い。また、図１３（Ａ）〜（Ｃ）の構成を前端近傍及び後端近傍で適宜組み替えても良く、或いは前端近傍及び後端近傍の何れか一方のみに規制体を設けても良い。
【０１２６】
さらに上述した実施の形態においては、後規制体４７を筐体３１側のピックアップガイド４１に立設させる場合について述べた（図４及び図１１）。しかしながら本発明はこれに限らず、例えば後規制体４７の一部又は全部を扉体３２側に設けても良い。或いは、例えば前規制体６４を筐体３１側に設け、扉体３２を閉塞状態とした場合にのみフロントガイド５４の規制溝７３に入り込むようにしても良い。
【０１２７】
さらに上述した実施の形態においては、フロントガイド５４の規制溝７３における内側面と、本体部７１の後端近傍における左右の両側面とを何れも上下方向に十分長く形成することにより、上下方向に関し比較的長い範囲において前規制体６４及び後規制体４７に当接又は近接させて、該フロントガイド５４の回転を規制する場合について述べた。しかしながら本発明はこれに限らず、例えば規制溝７３の内側面等における上下方向の長さを短くしても良い。この場合、少なくともフロントガイド５４の左右方向への移動を規制することができる。
【０１２８】
さらに上述した実施の形態においては、扉体３２に２個のフロントガイド５４を取り付ける場合について述べた（図５）。しかしながら本発明はこれに限らず、扉体３２に１個又は３個以上のフロントガイド５４を取り付けても良い。
【０１２９】
さらに上述した実施の形態においては、１個のフロントガイド５４を扉体３２に取り付けるために２個の取付部材５３を使用する場合について述べた。しかしながら本発明はこれに限らず、１個のフロントガイド５４を扉体３２に取り付けるために１個又は３個以上の取付部材５３を使用しても良い。
【０１３０】
さらに上述した実施の形態においては、１種類の取付部材５３における姿勢を３通りに変化させることにより、選択取付間隔ＬＳを取付間隔ＬＡ、ＬＢ又はＬＣの３段階に調整する場合について述べた（図６、図９）。しかしながら本発明はこれに限らず、例えば取付部材５３における姿勢を２通りに変化させて選択取付間隔ＬＳを２段階に調整しても良く、或いは各辺の長さがそれぞれ相違する２種類以上の取付部材を交換して使用することにより、選択取付間隔ＬＳを４段階以上に調整しても良い。
【０１３１】
さらに上述した実施の形態においては、取付部材５３において爪部８６及び８７に補強リブを設ける場合について述べた（図８）。しかしながら本発明はこれに限らず、例えば爪部８６及び８７の少なくとも一方において、補強リブを省略しても良い。この場合、対応する固定孔５２Ｈ又は７６Ｈにおいて、切欠部分を省略できる（図６）。
【０１３２】
さらに上述した実施の形態においては、扉体３２に対し取付部材５３を使用してフロントガイド５４を取り付ける場合について述べた。しかしながら本発明はこれに限らず、例えば従来の紙幣収納庫のように、カラと呼ばれる部品を介して取り付けねじによりフロントガイド５４を扉体３２に取り付ける等、種々の手法により取り付けても良い。要は、扉体３２に対しフロントガイド５４を着脱可能に取り付けると共に、該フロントガイド５４の取付位置を調整できれば良い。前規制体６４及び後規制体４７等により、フロントガイド５４の左右方向への移動や回転を規制できれば良い。
【０１３３】
さらに上述した実施の形態においては、扉体３２に取り付けるフロントガイド５４に本発明を適用する場合について述べた。しかしながら本発明はこれに限らず、例えば筐体３１に取り付けるサイドガイド４５（図３及び図４）等、収納空間１１ＳＣの大きさを規定して紙幣を案内し、且つ該筐体３１に対する取付位置が調整可能である種々の部材に適用しても良い。
【０１３４】
さらに上述した実施の形態においては、筐体３１における後上側に蝶番部３３を設け、左右方向に沿った回動軸を中心として扉体３２を回動させることにより開閉させる場合について述べた。しかしながら本発明はこれに限らず、例えば筐体３１における左上側に蝶番部を設け、前後方向に沿った回動軸を中心として扉体３２を回動させることにより開閉させる等、種々の方向に沿った回動軸を中心として扉体３２を回動させることにより開閉させても良い。或いは、筐体３１に対し扉体３２をスライドさせ、若しくは筐体３１に対し扉体３２を着脱させることにより、開閉させても良い。
【０１３５】
さらに上述した実施の形態においては、紙幣出金機１の収納筐体１０に装填された場合に、収納されている紙幣の紙面が前後方向を向き、前後方向に沿って集積された状態となるような、いわば横型の紙幣カセット１１に本発明を適用する場合について述べた。しかしながら本発明はこれに限らず、例えば特許文献１の紙幣入出金機に装填される紙幣カセットのように、装填された状態で紙幣の紙面が上下方向を向き、上下方向に沿って集積された状態となるような、いわば縦型の紙幣カセットに適用しても良い。
【０１３６】
さらに上述した実施の形態においては、出金専用である紙幣出金機１に装填される紙幣カセット１１に本発明を適用する場合について述べた。しかしながら本発明はこれに限らず、例えば入金取引や出金取引等、種々の取引処理を行い得る紙幣入出金機（いわゆるＡＴＭ）に装填される紙幣カセットに適用しても良い。
【０１３７】
さらに上述した実施の形態においては、媒体としての紙幣を内部に収納する紙幣カセットに本発明を適用する場合について述べた。しかしながら本発明はこれに限らず、例えば各種証券や金券、或いは商品券や入場券等、種々の紙葉状の媒体を内部に収納する媒体カセットに適用しても良い。
【０１３８】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【０１３９】
さらに上述した実施の形態においては、基体としての扉体３２と、ガイド体としてのフロントガイド５４と、取付部材としての取付部材５３と、規制体としての前規制体６４及び後規制体４７とによって媒体収納装置としての紙幣カセット１１を構成する場合について述べた。しかしながら本発明はこれに限らず、その他種々の構成でなる基体と、ガイド体と、取付部材と、規制体とによって媒体収納装置を構成しても良い。
【産業上の利用可能性】
【０１４０】
本発明は、例えば利用者の操作に応じて紙幣を出金する紙幣出金機に装填される紙幣カセットで利用できる。
【符号の説明】
【０１４１】
１……紙幣出金機、１０……収納筐体、１１……紙幣カセット、１１Ｓ……内部空間、１１ＳＣ……収納空間、１３……搬送部、３１……筐体、３１Ｓ……筐体内部空間、３２……扉体、３３……蝶番部、４１……ピックアップガイド、４２……ゲートガイド、４５……サイドガイド、４６……ステージ、４７……規制体、５１……上面部、５２……取付基部、５２Ｈ……固定孔、５２ＨＣ……切欠部分、５２Ｓ……被固定部、５３……取付部材、５４……フロントガイド、５５……係合レール部、６１……前部、６３……後端部、６４……前規制体、７１……本体部、７２……前端中央部、７３……規制溝、７４……腕部、７５……爪状部、７６……フロントガイド固定部、７６Ｈ……固定孔、７６Ｓ……被固定部、８１……本体部、８２、８３……側面、８６、８７……爪部、８６Ｒ……補強リブ、ＬＳ……選択取付間隔、ＬＴ……段差間隔。
【図１】
0006720522.tif 000002
【図２】
0006720522.tif 000003
【図３】
0006720522.tif 000004
【図４】
0006720522.tif 000005
【図５】
0006720522.tif 000006
【図６】
0006720522.tif 000007
【図７】
0006720522.tif 000008
【図８】
0006720522.tif 000009
【図９】
0006720522.tif 000010
【図１０】
0006720522.tif 000011
【図１１】
0006720522.tif 000012
【図１２】
0006720522.tif 000013
【図１３】
0006720522.tif 000014